(57)【要約】  携帯型床パネル（１２）、および複数のこのような携帯型床パネル（１２）を有してなる携帯型床システムであり、各パネルは上面（２６）、コア（２０）、底面（２２）を含む平面部（１４）と、補足的な端部（３０，３２）を有している。パネルはさらに各端部に沿ったパネルロッキングアセンブリ（４０）を有しており、ロッキングアセンブリは端部からコア（２０）内に延在するロック装置（４２，４４）、コネクタ（４６）、ロック装置（４２，４４）に隣接するアンカーエレメント（４８）を有している。アンカーエレメントはコネクタ受容部（５２）を有しており、コネクタはアンカーエレメント（４８）をロック装置（４２，４４）に取付けるためにロック装置とアンカーエレメントとに係合する。製造、挿入および交換を容易化するため、アンカーエレメントは底面（２２）まで延在している。
2009516101.tif 000002
【特許請求の範囲】
【請求項１】
上面（２６）、コア（２０）および底面（２２）を含む平面部（１４）、および
補足的な端部（３０，３２）を有してなる携帯型床パネル（１２）であって、
端部からコア（２０）内に延在するロック装置（４２、４４）を有し各端部に沿ったパネルロック用アセンブリ（４０）と、コネクタ（４６）と、ロック装置（４２，４４）に隣接するアンカーエレメント（４８）とを有し、アンカーエレメントは底面（２２）まで延在しており、アンカーエレメントがコネクタ受容部（５２）を有しており、アンカーエレメントをロック装置に取付けるためにコネクタがロック装置およびアンカーエレメントと係合する、ことを特徴とする携帯型床パネル。
【請求項２】
アンカーエレメント（４８）が、アンカーエレメントが平面部（１４）内に挿入された際に空隙を規定するリブ（５４，５６）からなる、請求項１記載の床パネル。
【請求項３】
パネルが突出した端部材（３０，３２）を有してなり、および端部材がロック装置（４２，４４）を受容するオリフィス（６６）を規定する、請求項１記載の床パネル。
【請求項４】
パネルが天然の木目（７０）の外観を有し、および木目がロック装置（４２，４４）を位置合わせするための目印位置（７２）を規定する、請求項１記載の床パネル。
【請求項５】
アンカーエレメント（４８）が、第１のコネクタ受容部（５２）と、第１のコネクタ受容部から離間した第２のコネクタ受容部（５２）を規定する、請求項１記載の床パネル。
【請求項６】
各コネクタ受容部が少なくとも２つのオリフィス（５２）を規定する、請求項５記載の床パネル。
【請求項７】
アンカーエレメント（４８）が、底面（２２）の一部の上に延在する部分を備えたフランジ（５０）を含んでいる、請求項１記載の床パネル。
【請求項８】
平面部（１４）が、アンカーエレメント（４８）を受容するために底面（２２）とコア（２０）を通して形成されたスロット（６０）を規定する、請求項１記載の床パネル。
【請求項９】
パネルが突出した端部材（３０，３２）を有してなり、この端部材がロック装置（４２，４４）を受容するためのオリフィス（６６）を規定する、請求項８記載の床パネル。
【請求項１０】
平面部（１４）が、ロック装置（４２，４４）を受容するオリフィス（６２）をその側部に規定する、請求項８記載の床パネル。
【請求項１１】
パネルが突出した端部材（３０，３２）を有してなり、端部材が、平面部（１４）の側部内に形成されたオリフィス（６２）と位置合わせされ且つロック装置（４２，４４）を受容するオリフィス（６６）を規定する、請求項１０記載の床パネル。
【請求項１２】
アンカーエレメント（４８）が交差する垂直リブ（５４）と水平リブ（５６）を有してなる、請求項１記載の床パネル。
【請求項１３】
アンカーエレメント（４８）がナイロンからなる、請求項１記載の床パネル。
【請求項１４】
隣接する端部に沿って連結するように構成された複数の床パネル（１２）を有してなる携帯型床システムであり、各床パネルが、
上面（２６）、コア（２０）および底面（２２）を含む平面部（１４）と、
補足的な端部（３０，３２）とを有してなる床パネルであって、
端部からコア（２０）内に延在するロック装置（４２、４４）を有し各端部に沿ったパネルロック用アセンブリ（４０）と、コネクタ（４６）と、ロック装置（４２，４４）に隣接するアンカーエレメント（４８）とを有し、アンカーエレメントは底面（２２）まで延在しており、アンカーエレメントがコネクタ受容部（５２）を有しており、アンカーエレメントをロック装置に取付けるためにコネクタがロック装置およびアンカーエレメントと係合する、ことを特徴とする携帯型床システム。
【請求項１５】
パネル（１２）のそれぞれが天然の木目の外観（７０）を有し、および木目がパネル間で位置合わせされている、請求項１４記載の床システム。
【請求項１６】
パネル（１２）のそれぞれが天然の木目（７０）の外観を有し、および木目（７０）がロック装置（４２，４４）を位置合わせするための目印位置（７２）を規定する、請求項１４記載の床システム。
【発明の詳細な説明】
【技術分野】
【０００１】
本発明は、携帯型床システムに関し、特に改良されたロッキングアセンブリ（固定用組立体）およびこのロッキングアセンブリ用の取付システムに関するものである。
【背景技術】
【０００２】
携帯型床は、一般的には、多くの連結された、矩形（長方形）セクションまたはパネルを有しており、また各床セクションを一緒に端同士をつなぎ合わせることで、カーペットや他の面上に一時的にセットアップされる拡張された固い面を提供するために使用される。隣接するパネルを固定して拡張された床面を確保するためにパネルの端に沿ってロック（固定具）や他のコネクタが設けられる。
【０００３】
携帯型床は、種々の用途に使用され、またサービス（接客）および娯楽産業において特に有用である。取り除きが可能である、ダンスや他の活動のための一時的な平坦で硬質の床を提供することで、空間を他の活動のために使用できるようにすることが望まれている。各床は、通常は、端同士を一緒に連結する態様で、取り外し可能な態様で、またそれらの縁に沿った解除自在なロックと共に連結される。この種の一般的な形式の携帯型床は、米国特許第３，３１０，９１９号に開示されており、そこには各床パネルが突出した舌セクションを特定の縁に沿って有しており、また補足的な拡張された溝セクションを特定の他の縁に沿って有する床パネルが開示されている。隣接する各セクションは舌と溝によって端と端が一緒に嵌め合うことができ、また溝の上部に取付られ且つ舌部材内のノッチ（切れ込み）に係合するネジ式のロックネジによって定位置に保持される。この特許に開示された携帯型床は便利で効率的な携帯型床を提供できるが、更なる改良が可能である。
【０００４】
携帯型床が示された他の特許は米国特許第６，１２８，８８１号である。各パネルを正しく一緒に位置合わせして係合およびロックするために、パネルの端部に補足的な雄および雌部材を有するカム型の回転式ロックが使用されている。カム型の回転式ロックは、改良されたものであるが、このようなロックを取付ける点において課題がある。携帯型床においては重量が重要であるので、軽量の床パネルを有するパネル構造を利用することで全体の重量を低減することがしばしば望まれる。発泡体、ハニカムあるいはバルサ材のようなコア材料を使用することは重量を低減することに役立つが、これらの材料は取付構造には適切ではない。支持力が小さいコアを備えた床パネルに従来法で回転式ロックを取付けることは困難である。さらに、この種のシステムは故障の際には取り替えることが困難である。典型的には、ジョイントコネクタのナットとボルトにより取付けるか、又は標準の木製ネジで取付けるため、コアの一部は取り外され木製ブロックが挿入される。このシステムでは、ジョイントコネクタのボルトが、補足的な開口部を有する補足的なジョイントコネクタのナット内に挿入するために正確な位置合わせを必要とする。ボルトとナットを位置合わせするためには高い精度が必要とされる。さらに、木製ネジあるいはジョイントコネクタのいずれかを使用するこのようなシステムでは、パイロット穴を穿設する必要がある。このようなパイロット穴の位置が正しくないと製造工程の間にパネルが破損することがある。
【０００５】
加えて、このようなシステムは、故障した場合には修理が困難である。回転式ロックは、通常は少なくとも２つのネジまたはジョイントコネクタのボルトによって支持されているが、一般的には４つの取付穴を有している。しかしながら、各穴の間が接近していることから、故障が発生すると、修理および別々のジョイントコネクタのナットおよびボルトの取付を行うには隣接する穴が故障の位置に一般的には近づきすぎてしまう。
【０００６】
別の問題は、正確な位置決めが必要であること、および種々の構成要素の全てを位置合わせするために特別な製造方法が必要となることである。取付の際には構成要素間において固定用ブロックと回転式ロック部材が軽量のコア材料あるいは代わりの充填材料から同様に離間されているので、力が加わった場合には、木製ブロックとロック部材との間の材料がつぶれてしまい、故障および／またはズレを招いてしまう。
【０００７】
携帯型床における他の課題は、木目面を位置合わせして連続性を提供することである。製造時の不正確さによって、隣接する木目を備えた床を得ることは困難である。よって、正しく位置合わせされ且つ向きが揃った木目を提供でき、上面のパターンが連続しており、よって各パネルが同一の外観を有し且つ他のパネルと位置合わせされ床システムの全体の外観を改良できる、方法が望まれている。
【発明の開示】
【発明が解決しようとする課題】
【０００８】
よって、ロック用部材およびそれらの取付に関連する諸問題を解決できる、新規で改良された携帯型床パネルを使用した新しい携帯型床システムが必要とされる。このようなシステムは、床パネルやロック用装置の単純で容易な挿入および製造を提供できるものである。このようなシステムは同様に、ロック用部材と固定用部材との間の柔軟なコア材料を廃止できるべきである。このようなシステムはまた、位置合わせを改良でき、および故障が起きた場合でも容易に取り替えることができる軽量の固定具（アンカー）を提供すべきである。本願発明は、これらおよび携帯型床システムに関連した他の問題に対処したものである。
【課題を解決するための手段】
【０００９】
本願発明は、携帯型床システム、特にロッキングアセンブリを取付けるための構造を備えた、改良された取付アセンブリを個々の床パネルが有する床システムに関するものである。
【００１０】
本願発明の携帯型床システムは、踊りや他の活動に最適な一時的な床面を提供する一方で、床が取り除かれた空間における多目的な機能を提供する。本願発明は、連続した拡張された床面を形成するために端部に沿って連結および固定される実質的に矩形の床パネルを有する、携帯型床を提供する。床の端部に沿って、携帯型床面から下側の面への移行部となる端部トリムパネルがある。
【００１１】
床パネルはそれぞれ、押出された端部セクションを備えた床部を含んでいる。これら端部は、各パネルを一緒に位置合わせするための補足的な舌部と溝部を形成する。これらパネルは、隣接するパネルの端部上にある、補足的な雄部と雌部を有するカム型回転式ロックにより一緒にロック（固定、係止）される。カムロック同士が係合する際、カム動作によって各パネルは端部に沿って相対的にスライドし、これにより各パネルは一緒にロックされると共にパネル間に隙間がない状態での正しい嵌合が確保される。本発明は、ロッキングアセンブリに対して、軽量であり且つ製造容易な取付構造を提供する。ロック部材（ロッキングアセンブリ）は、床パネル内に形成されたスロット（溝）内に取付けられたアンカーエレメント（固定用部材）に直接的に取付けられる。アンカーエレメントは、軽量なプラスチックエレメントであり、ロック部材を通ってアンカーエレメントに直接的に取付られる取付用ネジを受容する穴を有している。この直接的な取付を行うことで、従来技術のロック取付システムで必要であった正確なパイロット穴を作る必要がなくなる。加えて、ロック装置をアンカーエレメントに直接的に隣接することでより剛性のある取付を行なうことができ、従来技術においてロックと取付用ブロックとの間の柔軟なコア材料に圧力が加わった場合において生じる可能性がある弛みや圧縮をなくすことができる。
【００１２】
より頑丈な取付構造に加えて、本願発明の取付システムはまた製造が容易である。パネルの底部にアンカーエレメント用の第１のスロットが形成され、また第１のスロットと交わって連続した開口部を形成するために、パネルの端部内にはロックを受容するための第２のスロットが形成される。これにより、アンカーエレメントに直接的に対向するロック部材に対する追加の支持が提供される。さらに、上部面上のパターンが連続したパネルとパネルのものであり、またロックとアンカーエレメントがパネル表面の特定の印から外れて位置合わせされる結果、種々のパネルは正確に位置合わせされ、このため、床全体においてパネル間で連続した木目パターンが形成できる。
【００１３】
この取付構造はまた容易な取り換えを提供でき、アンカーエレメントおよびロックを取り外して損傷のあるピース（構成要素）を交換することで、損傷のあるネジを容易に取り換えれる。また、取付用ネジあるいは穴が剥がれた場合でも隣接する穴が取付用として利用できることから、アンカーエレメントを置き換える必要がなくせる。さらに、本願発明は、何らかのタイプの接着や、取付のための特定のステップが必要でない。アンカーエレメントはナイロンのような剛性のある軽量プラスチック材料であり、またこれが挿入されるスロットの多くは空であるため、この取付システムは従来技術のシステムに比べて軽量化が図れる。
【００１４】
本願発明のこれら新規な特徴および他の特長は、本願の一部を構成する添付の特許請求の範囲に詳細に挙げられている。しかしながら、本願発明、その特長、および使用により得られる目的などをより良く理解するために、本願発明の好適な実施形態が例示および説明された、本願のさらに一部を形成する図面、および添付した説明書を参照すべきである。
【発明を実施するための最良の形態】
【００１５】
図面、特に図１を参照して、全体を符号１０で示した、携帯型の床システムが開示されている。この床システム１０は、拡張された、連続的な床面を形成するために端同士で接合された複数の略矩形（方形）の床パネル１２を含んでいる。このようなパネルは、概略的には、２つの端部に沿った舌部１６と他の２つの端部に沿った溝部１８を含む突出した端部エレメントを備えた軽量の平面部１４を含んでいる。この構成において、舌部１６が対応する溝部１８に挿入されることで隣接するパネルの端部同士が係合される。
【００１６】
図５を参照して、平面部１４は、概略的には、軽量の中央コア層２０、硬質の底部外側層２２および底部内側支持層２４を含んでいる。上部支持層２８はコア層２０上に広がっており、上部外側層２６は上部支持層２８を覆っている。上部外側層２６はパターンを有したものでも良く、１つの実施形態では、硬い木の床の印象を与えるための木目パターンを含んでいる。なお、用途に応じて、これより少ないかあるいは多い層としても良いが、軽量のコア層２０は含ませることが必要である。
【００１７】
再び図１を参照して、木目層７０は連続的な繰り返されるパターンであり、必要な切断の位置決めやパネルの端部の位置決めのために利用される特定の目印（インデックス）用の特徴部７２を含み、このパターンは１つのパネル１２から次のものまで連続したパターンである。
【００１８】
再度図１を参照して、床システム１０はまた、端部トリム片３０および３２を含んでいる。端部トリム片３０と３２は、床システム１０の上面から下にある地面あるいは床への安全な移行部を形成している。端部トリム片３０と３２は、突出した端部１６と１８の舌部と溝部に類似した舌部または溝部（図示せず）を有しており、また同様な方法で結合する。後述するが、端部トリム片３０と３２は、床システム１０の補足的なロック用装置と同様に係合する、対応するロック用装置を有している。
【００１９】
次に図２，３および４を参照して、図示された床パネル１２は平面部１４、および舌部１６と溝部１８を含む突出した端部材を備えている。舌部１６は２つの隣接する側部に沿っており、また溝部１８は対向する２つの隣接する側部に沿っている。舌部１６は隣接するパネル１２の補足的な溝部１８に係合し、これにより床パネル１２の端部同士が接するようになり、床パネル１２は拡張された連続的な床面を形成する。
【００２０】
図７により詳しく示したように、床パネル１２はロックアセンブリ４０で互いに連結される。図２から４を再び参照して、ロックアセンブリは雌ロック４２と補足的な雄ロック４４を含んでいる。補足的な回転式ロック４２と４４により、タイトフィット（ぴったり嵌ること）を確保するために各端部を一緒に引っ張ることができる。雌の回転式カムロック装置４２は、回転自在な円形カムを有し、および溝１８を有する２つの端部の中央に取付けられる。補足的な雄の回転式カムロック部材４は、舌部１６を有する端部の中央に取付けられ、ロックが作動してカム部材が雄ロック部材４４内まで延びた際には回転式カム部材を受容し保持する。雌のカム部材４２は、床パネル１２の上面内のオリフィス（穴、開口部）６４内にアレン型（Allen-type）の工具でカムを回転することで作動される。作動した際には、カムがカムロック装置４２と４４および各床パネル１２を引っ張ることから床１０内で隙間が形成されることがなくなり、隣接するパネル１２の間で緊密な端部同士の連結が維持される。
【００２１】
図５から７を参照して、本願発明に係るロックアセンブリ４０の改良された構成が示されている。ロックアセンブリ４０は、端部の舌部１６と溝部１８を通して形成されるスロット６６および平らなパネル部１４内に形成されるスロット６２内に直接的に取付けられる雌および雄ロック部材４２と４４の各本体を含んでいる。雌のロック装置４２と雄のロック装置４４はアンカーエレメント４８に直接的に取付けられる。スロット６２は平らなパネル部１４の中央コアの端部内に形成される。図２および８に明示したように、アンカーエレメントはスロット６０内に嵌合される。図９に明示されたように、取付用ネジ４６は雌および雄のロック部材４２および４４の背後を通り、アンカーエレメント４８の受容部５２内まで延在する。なお、この構成において、ロック装置４２と４４はアンカーエレメント４８に直接的に取付けられアンカーエレメントに隣接し、これにより、従来技術の軽量な中央層２０の密度が少なく且つ支持力に乏しい材料をなくすことができる。アンカーエレメント４８はロック部材４２および４４の追加の支持をする。さらに、取付は簡単であり、また特別な工具や接着剤の塗布を必要としない。
【００２２】
損傷が生じた場合でも、補修（修理）は簡単であり、パネル１２が駄目になることがない。取付用ネジ４６あるいはオリフィス５２が剥がれた場合でも、新しいネジを隣の未使用の受容用オリフィス５２内に挿入するだけで良く、交換（代替）部品が不要である。また、アンカーエレメント４８あるいは他のエレメントが交換する必要がある場合でも、これらをネジ回しで取り外し、新しいロック装置４２あるいは４４またはアンカーエレメント４８を再取付するだけで良く、床パネル１２には悪影響はでない。
【００２３】
アンカーエレメント４８は従来技術の木製の取付ブロックに比べて別の特長を提供する。アンカーエレメント４８は好ましくはナイロン６／６や他の公知の適切な材料のような頑丈であるが軽量なプラスチック材料で作られる。このプラスチック材料は、床パネル１２の底部の上部でスロット６０の周囲に僅かに延びるフランジ５０を含んでいる。水平リブ５６と垂直リブ５４は取付部５２に対して頑丈な支持構造を提供する。アンカーエレメント４８が多くの空きスペースを提供することから、中身の詰まった木製ブロックの取付システムに比べて軽量化が図れる。
【００２４】
スロット６２と６０の形成は、ルータ（えぐり道具）を用いて極めて簡単に行うことができ、また表面パターン７０の目印用の特徴部７２から正しい配置が保証されるように位置決めされる。平面部１４の端部はスロット６０と６２の同時に形成されるので、スロット６０と６２は正確に配置され、ロック装置４２と４４の正しい位置合わせが保証される。またこれにより、連続的であるように構成されるパターンが一貫性のあるように位置合わせされ方向付けされることを保証するための十分に正確な位置合わせが提供でき、全体的に連続した自然な木目や他の床の外観が改善される。
【００２５】
なお、上記の記載では、本願発明の多くの特徴および特長を本願発明の構造の詳細と機能と共に説明したが、これらは例示的なものに過ぎず、特に形状、大きさ、および部品の配置などの詳細は、本願発明の理念内において、添付の特許請求の範囲中の用語の広い概念での意味により示される範囲において適宜変更が可能である。
【図面の簡単な説明】
【００２６】
【図１】本願発明の原理に従った携帯型床システムの上部平面図である。
【図２】図１に示した携帯型床システムにおける床パネルの底部の分解斜視図である。
【図３】ロック用アセンブリを示すために一部を取り除いた図２に示した床パネルの上面図である。
【図４】図１に示した床システムから取り除かれた２つのパネルを一緒に連結した状態の底部斜視図である。
【図５】図２に示したパネルの一部の側部断面図である。
【図６】図２に示した床パネルのロック用アセンブリを示した詳細な上面図である。
【図７】図６に示した２つのロック用アセンブリにおいてロック用アセンブリの連結によりパネル同士が取付けられた状態を示した底部斜視図である。
【図８】ロック用アセンブリの取付用のスロットが示された、図２に示したパネルの一部の上部平面図である。
【図９】図６に示したロック用アセンブリ用のアンカーエレメントの斜視図である。
【図１０】図９に示したアンカーエレメントの側面図である。
【図１】
2009516101.tif 000003
【図２】
2009516101.tif 000004
【図３】
2009516101.tif 000005
【図４】
2009516101.tif 000006
【図５】
2009516101.tif 000007
【図６】
2009516101.tif 000008
【図７】
2009516101.tif 000009
【図８】
2009516101.tif 000010
【図９】
2009516101.tif 000011
【図１０】
2009516101.tif 000012
【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
上面（２６）、コア（２０）および底面（２２）を含む平面部（１４）、
補足的な端部材（１６，１８）を有してなる携帯型床パネル（１２）、
端部からコア（２０）内に延在するロック装置（４２、４４）を有し各端部に沿ったパネルロック用アセンブリ（４０）、コネクタ（４６）、ロック装置（４２、４４）に隣接するアンカーエレメント（４８）を有してなる携帯型床パネルであって、
アンカーエレメントは底面（２２）まで延在しており、アンカーエレメントがコネクタ受容部（５２）を有しており、アンカーエレメントをロック装置に取付けるためにコネクタがロック装置およびアンカーエレメントと係合する、ことを特徴とする携帯型床パネル。
【請求項２】
アンカーエレメント（４８）が、アンカーエレメントが平面部（１４）内に挿入された際に空隙を規定するリブ（５４，５６）からなる、請求項１記載の床パネル。
【請求項３】
パネルが突出した端部材（１６，１８）を有してなり、および端部材がロック装置（４２，４４）を受容するオリフィス（６６）を規定する、請求項１記載の床パネル。
【請求項４】
パネルが天然の木目（７０）の外観を有し、および木目がロック装置（４２，４４）を位置合わせするための目印位置（７２）を規定する、請求項１記載の床パネル。
【請求項５】
アンカーエレメント（４８）が、第１のコネクタ受容部（５２）と、第１のコネクタ受容部から離間した第２のコネクタ受容部（５２）を規定する、請求項１記載の床パネル。
【請求項６】
各コネクタ受容部が少なくとも２つのオリフィス（５２）を規定する、請求項５記載の床パネル。
【請求項７】
アンカーエレメント（４８）が、底面（２２）の一部の上に延在する部分を備えたフランジ（５０）を含んでいる、請求項１記載の床パネル。
【請求項８】
平面部（１４）が、アンカーエレメント（４８）を受容するために底面（２２）とコア（２０）を通して形成されたスロット（６０）を規定する、請求項１記載の床パネル。
【請求項９】
パネルが突出した端部材（１６，１８）を有してなり、端部材のそれぞれがロック装置（４２，４４）を受容するためのオリフィス（６６）を規定する、請求項８記載の床パネル。
【請求項１０】
平面部（１４）が、ロック装置（４２，４４）を受容するオリフィス（６２）をその側部に規定する、請求項８記載の床パネル。
【請求項１１】
アンカーエレメント（４８）が交差する垂直リブ（５４）と水平リブ（５６）を有してなる、請求項１記載の床パネル。
【請求項１２】
アンカーエレメント（４８）がナイロンからなる、請求項１記載の床パネル。
【請求項１３】
隣接する端部に沿って連結するように構成された複数の床パネル（１２）を有してなる携帯型床システムであり、各床パネルが、
上面（２６）、コア（２０）および底面（２２）を含む平面部（１４）と、
補足的な端部（３０、３２）と、
端部からコア（２０）内に延在するロック装置（４２、４４）を有し各端部に沿ったパネルロック用アセンブリ（４０）と、コネクタ（４６）と、ロック装置（４２、４４）に隣接するアンカーエレメント（４８）とを有してなる床パネルであって
アンカーエレメントは底面（２２）まで延在しており、アンカーエレメントがコネクタ受容部（５２）を有しており、アンカーエレメントをロック装置に取付けるためにコネクタがロック装置およびアンカーエレメントと係合する、ことを特徴とする携帯型床システム。
【請求項１４】
パネル（１２）のそれぞれが天然の木目の外観（７０）を有し、および木目がパネル間で位置合わせされている、請求項１３記載の床システム。
【請求項１５】
パネル（１２）のそれぞれが天然の木目（７０）の外観を有し、および木目（７０）がロック装置（４２，４４）を位置合わせするための目印位置（７２）を規定する、請求項１３記載の床システム。
【国際調査報告】
2009516101.tif 000013
2009516101.tif 000014
2009516101.tif 000015